(57)【要約】【課題】集塵部と対向電極の取外しを容易にして、組立性、メンテナンスを向上させた空気清浄装置付空気調和機を提供する【解決手段】本体の前面上部に備える吸込口と前面下部に備える吹出口とを結ぶ空気通路に、熱交換器と、送風機と、吸込口の裏面側に着脱自在に装着されたプレフィルタと、プレフィルタの後部に設けられ、空気流の上流側に放電電極に対向電極を対向してなるコロナ放電部と、下流側に集塵電極を備えた集塵部とから構成される電気集塵方式の空気清浄装置を設けてなる空気清浄装置付空気調和機において、空気清浄装置を、コロナ放電部を収納する中央フレーム１７と、中央フレーム１７の前面に配設され、コロナ放電部への手指の差込みを防止する保護カバー１８と、中央フレーム１７の後面に配設され、集塵部を収納する後面フレーム１９とから構成し、中央フレーム１７に保護カバー１８および後面フレーム１９を着脱自在に装着する。【選択図】　図３
2004069212.tif 000002
【特許請求の範囲】
【請求項１】
本体の前面上部に備える吸込口と前面下部に備える吹出口とを結ぶ空気通路に、熱交換器と送風機を配設すると共に、前記吸込口の裏面側に着脱自在に装着された網状のプレフィルタと、同プレフィルタの後部に設けられ、空気流の上流側に放電電極に対向電極を対向してなるコロナ放電部と、下流側に集塵電極を備えた集塵部とから構成される電気集塵方式の空気清浄装置を設けてなる空気清浄装置付空気調和機において、
前記空気清浄装置の筐体は、前記コロナ放電部を収納する中央フレームと、同中央フレームの前面に配設され、前記コロナ放電部への手指の差込みを防止する保護カバーと、後面に配設され、前記集塵部を収納する後面フレームとから構成され、前記中央フレームに前記保護カバーおよび前記後面フレームが着脱自在に装着されてなることを特徴とする空気清浄装置付空気調和機。
【請求項２】
前記保護カバーは、枠体に空気抵抗の少ないガードワイヤを設けてなることを特徴とする請求項１記載の空気清浄装置付空気調和機。
【請求項３】
前記保護カバーの左右側壁に係止爪を設け、同係止爪に対向する前記中央フレームの左右側壁に係止孔を設け、前記係止爪を前記係止孔に係止してなることを特徴とする請求項１記載の空気清浄装置付空気調和機。
【請求項４】
前記空気清浄装置を、前記プレフィルタを取付ける支持フレームに着脱自在に取付けてなることを特徴とする請求項１記載の空気清浄装置付空気調和機。
【請求項５】
前記集塵部と前記対向電極とを磁石により装着してなることを特徴とする請求項１記載の空気清浄装置付空気調和機。
【発明の詳細な説明】
【０００１】
【発明の属する技術分野】
本発明は電気集塵方式の空気清浄装置を備えた空気調和機に係わり、より詳しくは、組立性、メンテナンスを向上させた空気清浄装置の構成に関する。
【０００２】
【従来の技術】
従来の空気清浄装置付空気調和機には、例えば図５〜図７に示すような特開平４−２５４１２０号公報に記載されたものがある。図５中、３０は空気調和機本体を示し、この本体３０の図示しない前面上部には吸込口が設けられ、下部には吹出口が設けられる。本体３０内には、熱交換器３１が上端を下端より後方に傾斜させた状態で配置されている。
この熱交換器３１の背面側下部には、図示しない送風機が配設され、被空調室の空気を前記吸込口から熱交換器３１にて熱交換を行わせ、さらに吹出口から被空調室に吹出すようになっている。
【０００３】
前記熱交換器３１の前面側上部には、空気清浄装置３２は、前記本体３０に固定され熱交換器３１の幅方向に沿って配設されたメーンフレーム５１を備えている。そして右側に、前記空気調和機３０や空気清浄装置３２を制御する制御部３４が配設されている。
【０００４】
次に、前記空気清浄装置３２を、図５および図６に基づいて説明する。
空気清浄装置３２は、コロナ放電部３８と、集塵部４１とから構成される。コロナ放電部３８は、放電極である放電電極３６と、この放電電極３６と対向して設けられる対向電極板３７とからなる。
放電電極３６は、メーンフレーム５１の枠部に設けられる絶縁ブロックに蛇行状に張設される。また、対向電極３７は、その板面に放電電極３６の間に位置する状態で複数の透孔５２が所定間隔を存して設けられるアッパフレーム５３に着脱自在に取着され、このアッパフレーム５３は、メーンフレーム５１に対して着脱自在に装着されている。
そして、対向電極３７は、金属板を断面コ字状に折曲すると共に、その板面にはアッパフレーム５３の透孔５２に入り込む複数の電極部３７ａ　が内面側に切り起こされている。換言すれば、電極部３７ａ　相互間に放電電極３６が対向配置される。
集塵部４１は、メーンフレーム５１に対して着脱自在に装着される矩形状の枠体５４に、帯状の多数の合成樹脂シート５５が所定間隔で積層保持されている。枠体５４の一側には把手５４ａ　が一体成形されている。
【０００５】
前記合成樹脂シート５５の一方の面に、導電性塗料を塗布した導電層３３が設けられ、一枚おきの合成樹脂シート５５の導電層３３が反対側に突出して、それぞれ電極を介してリード線に接続される。
図７に、このような空気清浄装置３２の電気結線と、その作用状態を示す。
前記放電電極３６には、たとえば４．５ＫＶの電圧が印加され、一方、対向電極板３７はアースされている。前記集塵部４１における合成樹脂シート５５は、それぞれに塗布される導電層３３が１枚おきに、たとえば２．１ＫＶの電圧が印加され、他方はアースされる。しかして、同図に矢印で示すように、被空調室空気である被集塵空気が導かれる。前記コロナ放電部３８においては、放電電極３６から対向電極板３７に対してイオン放電をなし、ここを通過する被集塵空気中に含まれる微細な塵埃粒子をイオン化して帯電させる。
【０００６】
この帯電した塵埃粒子は、集塵部４１で捕捉され集塵がなされる。したがって、空気清浄装置３２から導出される被空調室空気は清浄化され、この状態で前記熱交換器３１に導かれて必要な熱交換作用がなされる。
このような空気清浄装置３２においては、極めて効果的に塵埃を捕捉集塵するため、前記集塵部４１ばかりでなく、コロナ放電部３８の細部にまで捕捉した集塵が付着し、比較的短期間で滞積する。したがって、使用者は適宜期間毎に付着した塵埃を除去しなければならない。
【０００７】
しかしながら、上記従来の空気清浄装置３０の構成の場合、集塵部４１は容易に取外し、清掃することができるが、対向電極３７に付着した塵埃を除去する場合、対向電極３７の電極部３７ａ　がアッパフレーム５３の透孔５２に挿入されているため、集塵部４１のようなワンタッチ着脱ができず、使用者にとって、取外しおよび取付け作業が極めて面倒であり、組立性及びメンテナンス性が不充分である。
【０００８】
【発明が解決しようとする課題】
本発明は上記問題点に鑑みなされたもので、集塵部と対向電極の取外しを容易にして、組立性、メンテナンスを向上させた空気清浄装置付空気調和機を提供することを目的としている。
【０００９】
【課題を解決するための手段】
本発明は上記課題を解決するためになされたもので、本体の前面上部に備える吸込口と前面下部に備える吹出口とを結ぶ空気通路に、熱交換器と送風機を配設すると共に、前記吸込口の裏面側に着脱自在に装着された網状のプレフィルタと、同プレフィルタの後部に設けられ、空気流の上流側に放電電極に対向電極を対向してなるコロナ放電部と、下流側に集塵電極を備えた集塵部とから構成される電気集塵方式の空気清浄装置を設けてなる空気清浄装置付空気調和機において、
前記空気清浄装置の筐体は、前記コロナ放電部を収納する中央フレームと、同中央フレームの前面に配設され、前記コロナ放電部への手指の差込みを防止する保護カバーと、後面に配設され、前記集塵部を収納する後面フレームとから構成され、前記中央フレームに前記保護カバーおよび前記後面フレームが着脱自在に装着されてなる構成となっている。
【００１０】
また、前記保護カバーは、枠体に空気抵抗の少ないガードワイヤを設けた構成となっている。
【００１１】
また、前記保護カバーの左右側壁に係止爪を設け、同係止爪に対向する前記中央フレームの左右側壁に係止孔を設け、前記係止爪を前記係止孔に係止してなる構成となっている。
【００１２】
また、前記空気清浄装置を、前記プレフィルタを取付ける支持フレームに着脱自在に取付けてなる構成となっている。
【００１３】
また、前記集塵部と前記対向電極とを磁石により装着してなる構成となっている。
【００１４】
【発明の実施の形態】
以下、本発明における実施の形態を添付図面に基づいて詳細に説明する。
図１は本発明による空気清浄装置付空気調和機の概略断面図、図２は本発明における空気清浄装置の構成図、図３は本発明における空気清浄装置の、（Ａ）は展開斜視図、（Ｂ）は保護カバーと中央フレームとの係止部分の拡大断面図、図４は中央フレーム（対向電極）と後面フレーム（集塵部）との接続を示す要部拡大斜視図である。
【００１５】
図において、本体１の前面１ａおよび上面１ｂのそれぞれに開閉パネル２ａ，２ｂ　を設けた吸込口３と前面下部１ｃに備える吹出口４とを結ぶ空気通路５に、前記吸込口３の裏面側の支持フレーム９に着脱自在に装着された網状のプレフルタ１２と、前後に分割して形成され逆Ｖ字形に折曲された上部熱交換器６と同上部熱交換器６の下部に連接する下部熱交換器７とでなる室内熱交換器８と、前記支持フレーム９に取付けられ、前記前面側上部熱交換器６の風上側に着脱自在に装着される空気清浄装置１０と、送風機１１とを配設している。また、前記前面側の開閉パネル２ａは空気清浄装置１０に対向する吸込口３ａを塞がないようにしている。
そして、通常運転時は、前記開閉パネル２ａ，２ｂ　を開放した状態とし、吹出口４から吸込まれ空気清浄装置１０を通過した空気と、通過しない空気を共に前記室内熱交換器８を通して調和し、同調和空気を前記送風機１１により送風して吹出口４から室内に吹出すようにしている。
【００１６】
前記空気清浄装置１０は図２に示すように、空気清浄ユニット本体１０ａ　と、高圧電源ユニット１０ｂ　及びメイン基板ユニット１０ｃ　とから構成されている。
前記空気清浄ユニット本体１０ａ　は、空気流の上流側にコロナ放電部１３を設けると共に、下流側に集塵部１４を設け、前記コロナ放電部１３は、線状の放電電極１５と平板状の対向電極１６とが設けられ、前記線状の放電電極１５と前記対向電極１６との間に、前記高圧電源ユニット１０ｂ　より高圧電圧が印加されている。そして、前記コロナ放電部１３は印加電圧の極性により、正又は負のコロナ放電を生じることにより進入してきた粒子に電荷を与える。
【００１７】
前記集塵部１４は、集塵電極となる導電性の通気性がある１枚の網状体により形成され、前記集塵部１４と前記対向電極１６とが同極性となるように接続され、前記集塵部１４が前記対向電極１６の後面に着脱可能に装着されている。
空気流の上流側の前記コロナ放電部１３を通過することにより荷電された粒子は、空気の流れ方向のベクトル力に主たる支配を受けながら、下流側に進行し、やがて集塵部１４の導体近傍を荷電粒子が通過することにより荷電粒子が受けるクーロン力は高まり、粒子が集塵部１４に捕捉されることとなる。
【００１８】
図３に示すように、前記空気清浄装置１０は、前記コロナ放電部１３を収納する中央フレーム１７と、同中央フレーム１７の前面に配設され、前記コロナ放電部１３への手指の差込みを防止する保護カバー１８と、前記中央フレーム１７の後面に配設され、前記集塵部１４を収納する後面フレーム１９とから構成し、前記中央フレーム１７に前記保護カバー１８および前記後面フレーム１９を着脱自在に装着してなるなる構成となっている。
【００１９】
前記保護カバー１８は、枠体１８ａ　に空気抵抗の少ないガードワイヤ１８ｂ　を設けた構成となっており、前記枠体１８ａ　の左右側壁に夫々係止爪１８ｃ　を設け、同係止爪１８ｃ　に対向する前記中央フレーム１７の左右側壁に係止孔１７ａ　を設け、前記係止爪１８ｃ　を前記係止孔１７ａ　を係止することにより、前記中央フレーム１７と前記保護カバー１８とを容易に着脱することができる。
【００２０】
図４は前記中央フレーム１７と前記後面フレーム１９との取付けを示したもので、磁石を用いた方法である。複数の前記対向電極１６は左右両端を帯状の桟１６ａ　で連結され、同両桟１６ａ　の上端裏面側に磁石２０ａ　が設けられ、フレームに嵌め込まれるようになされている。一方、前記集塵部１４は左右両端に帯状の桟１４ａ　が取付けられ、同両桟１４ａ　の上端表面側に磁石２０ｂ　が設けられ、前記中央フレーム１７に前記後面フレーム１９を嵌合することにより、前記磁石２０ａ　と磁石２０ｂ　とが磁力により結合され、集塵部１４と対向電極１６とが同電極で接続される。前記後面フレーム１９を引張ることによって、集塵部１４と対向電極１６とを容易に分離することができ、簡単に清掃ができる。
【００２１】
また、図２に示すように、前記空気清浄ユニット本体１０ａ　と前記高圧電源ユニット１０ｂ　とをコネクタ２１により挿脱自在に接続してなる構成とすることにより、前記空気清浄ユニット本体１０の清掃時や各ユニットの保守点検時に、夫々のユニットの取り外しが容易となり、メンテナンス性を向上することができる。
【００２２】
以上に説明したように、前記空気清浄装置１０を、前記コロナ放電部１３を収納する中央フレーム１７と、同中央フレーム１７の前面に配設され、前記コロナ放電部１３への手指の差込みを防止する保護カバー１８と、前記中央フレーム１７の後面に配設され、前記集塵部１４を収納する後面フレーム１９とから構成し、前記中央フレーム１７に前記保護カバー１８および前記後面フレーム１９を着脱自在に装着してなる構成とすることにより、集塵部と対向電極の取外しを容易にして、組立性、メンテナンスを向上させた空気清浄装置付空気調和機となる。
【００２３】
【発明の効果】
以上説明したように本発明においては、集塵部と対向電極の取外しを容易にして、組立性、メンテナンスを向上させた空気清浄装置付空気調和機となる。
【図面の簡単な説明】
【図１】本発明の空気清浄装置付空気調和機の側断面図である。
【図２】本発明の空気清浄装置の要部断面及び構成を示す図である。
【図３】本発明における空気清浄装置の、（Ａ）は展開斜視図、（Ｂ）は保護カバーと中央フレームとの係止部分の拡大断面図である。
【図４】本発明における中央フレームと後面フレームとの接続を示す要部拡大斜視図である。
【図５】従来例の空気清浄装置付空気調和機の断面図である。
【図６】従来例の空気清浄装置の組立構成である。
【図７】従来例の空気清浄装置の電気結線図である。
【符号の説明】
１　　空気調和機本体
２ａ，２ｂ　　開閉パネル
３　　吸込口
４　　吹出口
５　　空気通路
６　　上部熱交換器
７　　下部熱交換器
８　　室内熱交換器
９　　フレーム
１０　空気清浄装置
１０ａ　　空気清浄ユニット本体
１０ｂ　　高圧電源ユニット
１０ｃ　　メイン基板ユニット
１１　送風機
１２　　プレフィルタ
１３　　コロナ放電部
１４　　集塵部
１４ａ　桟
１５　放電電極
１６　対向電極
１７　中央フレーム
１７ａ　係止孔
１８　保護カバー
１９　後面フレーム
２０ａ，２０ｂ　　磁石
２１　コネクタ
【図１】
2004069212.tif 000003
【図２】
2004069212.tif 000004
【図３】
2004069212.tif 000005
【図４】
2004069212.tif 000006
【図５】
2004069212.tif 000007
【図６】
2004069212.tif 000008
【図７】
2004069212.tif 000009